(57)【要約】【課題】アウターハウジングへのインサート成形に起因するフェライト・プレートの変形を防止して、透磁率低下による多重通信用ジョイントコネクタの特性劣化を抑制し、伝送される波形ひずみを改善することができる多重通信用ジョイントコネクタを提供する。【解決手段】フェライト・プレート２３は、複数個に分割された状態でアウターハウジング２１に設けられている。【選択図】図１
2010170985.tif 000002
【特許請求の範囲】
【請求項１】
複数の相手方コネクタとそれぞれ嵌合するための複数のコネクタ嵌合部が形成されたアウターハウジングと、
前記コネクタ嵌合部内に突出するように前記アウターハウジングに配置され、且つ前記相手方コネクタが前記コネクタ嵌合部に嵌合した際に該相手方コネクタの相手方端子に接触して電気的に接続する端子と、
前記端子によって貫通されるように前記アウターハウジング内に配置された複数のフェライト・プレートと、
を備え、
前記フェライト・プレートは、複数個に分割された状態で前記アウターハウジングに設けられていることを特徴とする多重通信用ジョイントコネクタ。
【請求項２】
前記フェライト・プレートは、前記コネクタ嵌合部に対応して複数個に分割されていることを特徴とする請求項１に記載した多重通信用ジョイントコネクタ。
【請求項３】
複数の相手方コネクタとそれぞれ嵌合するための複数のコネクタ嵌合部が形成されたアウターハウジングと、
前記コネクタ嵌合部内に突出するように前記アウターハウジングに配置され、且つ前記相手方コネクタが前記コネクタ嵌合部に嵌合した際に該相手方コネクタの相手方端子に接触して電気的に接続する端子と、
前記端子によって貫通されるように前記アウターハウジングに配置されたフェライト・プレートと、
を備え、
前記フェライト・プレートには、該フェライト・プレートの外側面から内部に向けて切り込まれたスリットが形成されていることを特徴とする多重通信用ジョイントコネクタ。
【請求項４】
前記フェライト・プレートは、前記コネクタ嵌合部に対応するように前記スリットにより区分けされた複数の小フェライト部を有していることを特徴とする請求項３に記載した多重通信用ジョイントコネクタ。
【請求項５】
一面が開口し、該開口を通して前記フェライト・プレートが収容されるプレート収容室を有するインナーハウジングをさらに備え、
前記アウターハウジングには、前記フェライト・プレートが前記プレート収容室に収容された前記インナーハウジングを嵌合するためのインナーハウジング嵌合部が形成され、
前記インナーハウジングは、該インナーハウジングが前記インナーハウジング嵌合部に嵌合した際に前記コネクタ嵌合部内に突出するように、且つ前記プレート収容室を挿通するように、前記端子を保持するとともに、前記プレート収容室を画成する内側面に設けられたバネ部材が前記端子によって貫通された前記フェライト・プレートをその側面から押圧することによって前記フェライト・プレートを前記プレート収容室に固定する、
ことを特徴とする請求項１から４のいずれか一項に記載の多重通信用ジョイントコネクタ。
【請求項６】
前記バネ部材は、複数個に分割された前記フェライト・プレート毎に、前記プレート収容室を画成する内側面に設けられている、
ことを特徴とする請求項５に記載の多重通信用ジョイントコネクタ。
【請求項７】
前記バネ部材は、前記プレート収容室を画成する内側面のうちの、前記フェライト・プレートの側面に対向する一つの面に設けられている、
ことを特徴とする請求項５または６に記載の多重通信用ジョイントコネクタ。
【請求項８】
前記インナーハウジング嵌合部には、該インナーハウジング嵌合部を画成する内面のうちの、前記開口から露出する前記フェライト・プレートの一面に対向する面に、該フェライト・プレートに向けて突出する突起部が形成されている、
ことを特徴とする請求項５から７のいずれか一項に記載の多重通信用ジョイントコネクタ。
【請求項９】
前記突起部の突出方向の高さは、前記インナーハウジングを前記インナーハウジング嵌合部に嵌合した際、前記プレート収容室に収容された、厚み方向の寸法公差が最小である前記フェライト・プレートに、与圧ゼロで接触する高さである、
ことを特徴とする請求項８に記載の多重通信用ジョイントコネクタ。
【請求項１０】
前記インナーハウジングを前記インナーハウジング嵌合部に嵌合した際の、該インナーハウジング嵌合部の前記突起部が形成された一面と、前記プレート収容室を画成する内面のうちの前記開口に対向する一面との距離は、前記突起部の突出方向の高さと、厚み方向の寸法公差が最小である前記フェライト・プレートの厚みの和に等しい、
ことを特徴とする請求項８に記載の多重通信用ジョイントコネクタ。
【請求項１１】
前記突起部は、前記フェライト・プレート毎に、前記開口から露出する該フェライト・プレートの一面における対角線に臨むように、形成されている、
ことを特徴とする請求項８から１０のいずれか一項に記載の多重通信用ジョイントコネクタ。
【発明の詳細な説明】
【技術分野】
【０００１】
本発明は、複数の相手方コネクタと嵌合可能な多重通信用ジョイントコネクタに関する。
【背景技術】
【０００２】
車両などにおいては、ＣＡＮ（Control Area Network）通信によって複数の電装品を制御するため、多重通信用ジョイントコネクタを用いた接続が行われている。このような信号伝達用のコネクタには、ノイズの輻射や信号伝送に及ぼす悪影響を軽減するため、信号に重畳されるノイズを除去する機能が要求される。従来、ノイズ除去機能を有するコネクタとしては、フェライト磁心とチップコンデンサによって構成されるローパスフィルタ回路をコネクタに内蔵させたローパスフィルタ内蔵コネクタが開示されている（例えば、特許文献１参照。）。
【０００３】
また、アウターハウジングと、金属板によって一体成形されたジョイント回路としての連鎖バスバーと、第１および第２の抵抗およびコンデンサを有する終端抵抗回路と、から構成された多重通信用ジョイントコネクタも知られている（例えば、特許文献２参照。）。
【先行技術文献】
【特許文献】
【０００４】
【特許文献１】特開平７−７８６５８号公報
【特許文献２】特開２００３−１２３９１８号公報
【発明の概要】
【発明が解決しようとする課題】
【０００５】
図２３に示す従来の多重通信用ジョイントコネクタ１０は、複数のコネクタ嵌合部２を有する合成樹脂製のアウターハウジング１と、複数の貫通孔４が設けられて長方形板状に形成されたフェライト・プレート３と、バスバー６とピン状の端子７とが金属板によって一体成形された接続部５と、を備える。ローパスフィルタとして機能するフェライト・プレート３は、アウターハウジング１と一体にインサート成形されており、このフェライト・プレート３の貫通孔４に接続部５の端子７が挿通されてコネクタ嵌合部２に配置されている。この構成により、上下左右に隣り合う端子７の間にはフェライト・プレート３の一部が位置することになる。
【０００６】
しかし、フェライト・プレート３をアウターハウジング１にインサート成形すると、成形後の合成樹脂の収縮によって板状のフェライト・プレート３に曲げ応力が作用し、図２４に示すように、反りなどの変形が生じる場合がある。このように変形するほどの応力がフェライト・プレート３に作用すると、ビラリ効果（Villari effect）として一般に知られている逆磁歪現象によって、フェライト・プレート３の透磁率が低下する。このため、フェライト・プレート３は、ローパスフィルタとして十分なインピーダンス特性が得られなくなって、伝送される波形ひずみの改善が不十分となる問題があった。また、このビラリ効果を考慮して十分な特性が得られるようにフェライト・プレート３を大きくすることは、多重通信用ジョイントコネクタ１０のコストアップ要因となり、好ましくない。
【０００７】
本発明は、上述した事情に鑑みてなされたものであり、その目的は、アウターハウジングへのインサート成形に起因するフェライト・プレートの変形を防止して、透磁率低下による多重通信用ジョイントコネクタの特性劣化を抑制し、伝送される波形ひずみを改善することができる多重通信用ジョイントコネクタを提供することにある。
【課題を解決するための手段】
【０００８】
前述した目的を達成するために、本発明に係る多重通信用ジョイントコネクタは、下記（１）〜（１１）を特徴としている。
（１）  複数の相手方コネクタとそれぞれ嵌合するための複数のコネクタ嵌合部が形成されたアウターハウジングと、
前記コネクタ嵌合部内に突出するように前記アウターハウジングに配置され、且つ前記相手方コネクタが前記コネクタ嵌合部に嵌合した際に該相手方コネクタの相手方端子に接触して電気的に接続する端子と、
前記端子によって貫通されるように前記アウターハウジング内に配置された複数のフェライト・プレートと、
を備え、
前記フェライト・プレートは、複数個に分割された状態で前記アウターハウジングに設けられていること。
（２）  上記（１）の構成の多重通信用ジョイントコネクタであって、
前記フェライト・プレートは、前記コネクタ嵌合部に対応して複数個に分割されていること。
（３）  複数の相手方コネクタとそれぞれ嵌合するための複数のコネクタ嵌合部が形成されたアウターハウジングと、
前記コネクタ嵌合部内に突出するように前記アウターハウジングに配置され、且つ前記相手方コネクタが前記コネクタ嵌合部に嵌合した際に該相手方コネクタの相手方端子に接触して電気的に接続する端子と、
前記端子によって貫通されるように前記アウターハウジングに配置されたフェライト・プレートと、
を備え、
前記フェライト・プレートには、該フェライト・プレートの外側面から内部に向けて切り込まれたスリットが形成されていること。
（４）  上記（３）の構成の多重通信用ジョイントコネクタであって、
前記フェライト・プレートは、前記コネクタ嵌合部に対応するように前記スリットにより区分けされた複数の小フェライト部を有していること。
（５）  上記（１）から（４）の構成の多重通信用ジョイントコネクタであって、
一面が開口し、該開口を通して前記フェライト・プレートが収容されるプレート収容室を有するインナーハウジングをさらに備え、
前記アウターハウジングには、前記フェライト・プレートが前記プレート収容室に収容された前記インナーハウジングを嵌合するためのインナーハウジング嵌合部が形成され、
前記インナーハウジングは、該インナーハウジングが前記インナーハウジング嵌合部に嵌合した際に前記コネクタ嵌合部内に突出するように、且つ前記プレート収容室を挿通するように、前記端子を保持するとともに、前記プレート収容室を画成する内側面に設けられたバネ部材が前記端子によって貫通された前記フェライト・プレートをその側面から押圧することによって前記フェライト・プレートを前記プレート収容室に固定する、
こと。
（６）  上記（５）の構成の多重通信用ジョイントコネクタであって、
前記バネ部材は、複数個に分割された前記フェライト・プレート毎に、前記プレート収容室を画成する内側面に設けられている、
こと。
（７）  上記（５）または（６）の構成の多重通信用ジョイントコネクタであって、
前記バネ部材は、前記プレート収容室を画成する内側面のうちの、前記フェライト・プレートの側面に対向する一つの面に設けられている、
こと。
（８）  上記（５）から（７）のいずれか一つの構成の多重通信用ジョイントコネクタであって、
前記インナーハウジング嵌合部には、該インナーハウジング嵌合部を画成する内面のうちの、前記開口から露出する前記フェライト・プレートの一面に対向する面に、該フェライト・プレートに向けて突出する突起部が形成されている、
こと。
（９）  上記（８）の構成の多重通信用ジョイントコネクタであって、
前記突起部の突出方向の高さは、前記インナーハウジングを前記インナーハウジング嵌合部に嵌合した際、前記プレート収容室に収容された、厚み方向の寸法公差が最小である前記フェライト・プレートに、与圧ゼロで接触する高さである、
こと。
（１０）  上記（８）の構成の多重通信用ジョイントコネクタであって、
前記インナーハウジングを前記インナーハウジング嵌合部に嵌合した際の、該インナーハウジング嵌合部の前記突起部が形成された一面と、前記プレート収容室を画成する内面のうちの前記開口に対向する一面との距離は、前記突起部の突出方向の高さと、厚み方向の寸法公差が最小である前記フェライト・プレートの厚みの和に等しい、
こと。
（１１）  上記（８）から（１０）のいずれか一つの構成の多重通信用ジョイントコネクタであって、
前記突起部は、前記フェライト・プレート毎に、前記開口から露出する該フェライト・プレートの一面における対角線に臨むように、形成されている、
こと。
【０００９】
上記（１）の構成の多重通信用ジョイントコネクタによれば、フェライト・プレートが複数個に分割された状態でアウターハウジングに配置されているので、アウターハウジングの樹脂が収縮しても、各フェライト・プレートに作用する応力は小さく、フェライト・プレートの変形を大幅に抑制することができる。これによって、フェライト・プレートの変形に起因する特性劣化（透磁率低下）を小さくすることができ、ローパスフィルタ機能を良好に維持して、多重通信用ジョイントコネクタを介して伝送される波形ひずみを改善することができる。
上記（２）の構成の多重通信用ジョイントコネクタによれば、各コネクタ嵌合部内に配置される端子間において伝播する電磁波を、効果的に遮断することができる。この結果、ローパスフィルタ機能を良好に維持して、多重通信用ジョイントコネクタを介して伝送される波形ひずみを改善することができる。
上記（３）の構成の多重通信用ジョイントコネクタによれば、フェライト・プレートが複数個にスリットによって区分けされた状態でアウターハウジングに配置されているので、アウターハウジングの樹脂が収縮しても、スリットによって区分けされる各フェライト・プレートに作用する応力は小さく、フェライト・プレートの変形を大幅に抑制することができる。これによって、フェライト・プレートの変形に起因する特性劣化（透磁率低下）を小さくすることができ、ローパスフィルタ機能を良好に維持して、多重通信用ジョイントコネクタを介して伝送される波形ひずみを改善することができる。
上記（４）の構成の多重通信用ジョイントコネクタによれば、各コネクタ嵌合部内に配置される端子間において伝播する電磁波を、効果的に遮断することができる。この結果、ローパスフィルタ機能を良好に維持して、多重通信用ジョイントコネクタを介して伝送される波形ひずみを改善することができる。
上記（５）〜（７）の構成の多重通信用ジョイントコネクタによれば、インナーハウジング内においてバネ部材を用いてフェライト・プレートを支持することによって、フェライト・プレートの公差を吸収することができる。
上記（８）の構成の多重通信用ジョイントコネクタによれば、バネ部材が自身の反力により、端子によって貫通されたフェライト・プレートをプレート収容室内の側壁に押し付けるため、フェライト・プレートはプレート収容室内に保持される。また、フェライト・プレートの一面がフェライト・プレートに向けて突出する突起部に支持可能になっている。これによって、ジョイントコネクタが振動を受けることがあっても、フェライト・プレートがインナーハウジング内でガタツキを生じたり、異音を発生したりすることを回避することができる。
上記（９）の構成の多重通信用ジョイントコネクタによれば、厚み方向の公差が最小となるフェライト・プレートであっても、厚み方向の公差が最大となるフェライト・プレートであっても、そのフェライト・プレートに求められる最低限の特性値を満たしつつ、プレート収容室内に安定保持することができる。
上記（１０）の構成の多重通信用ジョイントコネクタによれば、厚み方向の公差が最小となるフェライト・プレートであっても、厚み方向の公差が最大となるフェライト・プレートであっても、そのフェライト・プレートに求められる最低限の特性値を満たしつつ、プレート収容室内に安定保持することができる。
上記（１１）の構成の多重通信用ジョイントコネクタによれば、フェライト・プレートの貫通孔から離れた位置でこのフェライト・プレートを突起部により支持でき、この突起部から受ける外部応力によるフェライト特性の劣化をも極力抑えることができる。
【発明の効果】
【００１０】
本発明の多重通信用ジョイントコネクタによれば、フェライト・プレートが複数個に分割された状態でアウターハウジングに配置されるので、アウターハウジングの樹脂が収縮しても、各フェライト・プレートに作用する応力は小さく、フェライト・プレートの変形を大幅に抑制することができる。これによって、フェライト・プレートの変形に起因する特性劣化（透磁率低下）を小さくすることができ、ローパスフィルタ機能を良好に維持して、多重通信用ジョイントコネクタを介して伝送される波形ひずみを改善することができる。
【００１１】
また、フェライト・プレートは、外側面から内部に向けて切り込まれたスリットが設けられているので、アウターハウジング内に配置後の樹脂収縮によるフェライト・プレートに作用する応力は、スリットによって緩和される。また、樹脂収縮によってフェライト・プレートに大きな応力が作用した場合、フェライト・プレートがスリット部で割れて複数個に分割される。これによって、分割後の各フェライト・プレートに作用する応力が緩和されて、フェライト・プレートの変形による特性劣化（透磁率低下）を防止することができる。従って、ローパスフィルタ機能を良好に維持することができる。
【００１２】
また、バネ部材が自身の反力により、端子によって貫通されたフェライト・プレートをプレート収容室内の側壁に押し付けるため、フェライト・プレートはプレート収容室内に保持される。さらに、フェライト・プレートの一面がフェライト・プレートに向けて突出する突起部に支持可能になっている。これによって、ジョイントコネクタが振動を受けることがあっても、フェライト・プレートがインナーハウジング内でガタツキを生じたり、異音を発生したりすることを回避することができる。
【００１３】
以上、本発明について簡潔に説明した。更に、以下に説明される発明を実施するための形態を添付の図面を参照して通読することにより、本発明の詳細は更に明確化されるであろう。
【図面の簡単な説明】
【００１４】
【図１】本発明の第１実施形態に係る多重通信用ジョイントコネクタの分解斜視図である。
【図２】図１におけるインサート成形されたフェライト・プレートの側面図である。
【図３】多重通信用ジョイントコネクタの特性（インピーダンス）の測定位置を示す平面図である。
【図４】多重通信用ジョイントコネクタの特性低下を従来の多重通信用ジョイントコネクタと比較して示すグラフである。
【図５】本発明の第２実施形態に係る多重通信用ジョイントコネクタにインサート成形されるフェライト・プレートの成形前後の変形状態を示す平面図である。
【図６】本発明の第３実施形態に係る多重通信用ジョイントコネクタの分解斜視図である。
【図７】本発明の第３実施形態に係る多重通信用ジョイントコネクタのアウタ−ハウジングの横断面図である。
【図８】本発明の第３実施形態に係る多重通信用ジョイントコネクタのインナーハウジングの斜視図である。
【図９】図８におけるインナーハウジングに対するフェライト・プレートの装着状況を一部で縦断して示す斜視図である。
【図１０】図８におけるインナーハウジングに対するフェライト・プレートの装着状況を別の一部で縦断して示す斜視図である。
【図１１】本発明の第３実施形態に係る多重通信用ジョイントコネクタのインナーハウジングとアウターハウジングとの嵌合構造を示す横断平面図である。
【図１２】本発明の第４実施形態に係る多重通信用ジョイントコネクタの分解斜視図である。
【図１３】本発明の第４実施形態に係る多重通信用ジョイントコネクタのアウタ−ハウジングの横断面図である。
【図１４】本発明の第４実施形態に係る多重通信用ジョイントコネクタのフェライト・プレートの平面図である。
【図１５】本発明の第４実施形態に係る多重通信用ジョイントコネクタのインナーハウジングの斜視図である。
【図１６】図１５におけるインナーハウジングに対するフェライト・プレートの装着状況を一部で縦断して示す斜視図である。
【図１７】図１５におけるインナーハウジングに対するフェライト・プレートの装着状況を別の一部で縦断して示す斜視図である。
【図１８】フェライト・プレートに働く外力とフェライト・プレートの特性値の関係を示す特性図である。
【図１９】本発明の第４実施形態に係る多重通信用ジョイントコネクタのインナーハウジングとアウターハウジングとの嵌合構造を示す横断平面図である。
【図２０】フェライト・プレートの厚みとフェライト・プレートの特性値の関係を説明する説明図である。
【図２１】本発明の第４実施形態に係る多重通信用ジョイントコネクタのインナーハウジングとアウターハウジングとの嵌合構造を示す横断平面図である。（ａ）が２．９ｍｍのフェライト・プレートが保持されているもの、（ｂ）が３．１ｍｍのフェライト・プレートが保持されているものである。
【図２２】支持突起の先端の押し潰し長さに対するフェライト性能の低下量を示す特性図である。
【図２３】従来の多重通信用ジョイントコネクタの分解斜視図である。
【図２４】図２３に示すインサート成形されたフェライト・プレートの変形状態を示す側面図である。
【発明を実施するための形態】
【００１５】
以下、本発明に係る多重通信用ジョイントコネクタの各実施形態を図面に基づいて詳細に説明する。
（第１実施形態）
図１は本発明の第１実施形態に係る多重通信用ジョイントコネクタの分解斜視図、図２は図１におけるインサート成形されたフェライト・プレートを示す側面図、図３は多重通信用ジョイントコネクタの特性（インピーダンス）の測定位置を示す平面図、図４は多重通信用ジョイントコネクタの特性低下を従来の多重通信用ジョイントコネクタと比較して示すグラフである。
【００１６】
図１及び図２に示すように、本実施形態の多重通信用ジョイントコネクタ１００は、複数の相手方コネクタ（図示せず）とそれぞれ嵌合するための複数のコネクタ嵌合部２２（図１では８個）を有する合成樹脂製のアウターハウジング２１と、１対の貫通孔２４が設けられて略矩形板状に分割されたフェライト・プレート２３（図１では８個に分割されている。）と、コネクタ嵌合部２２内に突出するようにアウターハウジング２１に配置され、且つ相手方コネクタがコネクタ嵌合部２２に嵌合した際に該相手方コネクタの相手方端子に接触して電気的に接続する１対の接続部２５と、を備える。
【００１７】
接続部２５は、ピン状に形成された複数の端子２７（図１では各列につき８本）と、この複数の端子２７を一端において接続するバスバー２６（図１では２本）とを有している。左右方向に隣り合う一対の端子２７は、一つのコネクタ嵌合部２２内に配置される。各コネクタ嵌合部２２内に配置される一対の端子２７には、多重通信を実現する伝送方式に則った信号が伝送される。例えば、周波数分割多重化を伝送方式として採用した場合には、一対の端子２７それぞれには異なる周波数帯が割り当てられる。周波数分割多重化を採用した場合、隣り合うコネクタ嵌合部２２に配置された一対の端子２７には、一方の一対の端子２７を信号が伝播した際に生じる電磁波（ノイズ）によって、他方の一対の端子２７に電圧が誘起されるおそれがある。このノイズによる電圧の誘起を防止するために、フェライト・プレート２３によって、上記一方の一対の端子２７から上記他方の一対の端子２７への電磁波の伝播を遮断する。
【００１８】
より具体的な事例を以ってフェライト・プレート２３の機能を説明する。多重通信用ジョイントコネクタがＣＡＮに利用される場合であって、一対の端子２７に差動信号が入力される伝送路では、一方の一対の端子２７に接続されるＨ側信号ラインと他方の一対の端子２７に接続されるＬ側信号ラインの間のインピーダンスのバランスを保つこと（Ｈ側信号ラインのインピーダンス特性≒Ｌ側信号ラインのインピーダンス特性）が必須である。このため、Ｈ側信号ラインとＬ側信号ラインの間に位置するフェライト・プレート２３が、Ｈ側信号ラインとＬ側信号ラインの間のインピーダンスのバランスを保つこともまた必須である。
【００１９】
例えば、一対の端子２７のそれぞれに、端子２７を内部に挿通させるフェライト材を別々に装着するように多重通信用ジョイントコネクタを構成した場合、各端子２７に装着された個々のフェライト材のインピーダンス特性にばらつきが生じる結果、Ｈ側信号ラインとＬ側信号ラインの間のインピーダンスのバランスが保たれないことが懸念される。Ｈ側信号ラインとＬ側信号ラインの間のインピーダンスのバランスが保たれていない場合、Ｈ側信号ラインとＬ側信号ラインに誘導される同相モード（コモンモード）のノイズ成分が、差動成分として働き、その結果、このような差動成分がｂｉｔエラーの要因となってしまう。
【００２０】
一方、図１に示すフェライト・プレート２３の形状によれば、一対の端子２７の間にインピーダンス特性が均一のフェライト・プレート２３が位置するため、Ｈ側信号ラインとＬ側信号ラインの間のインピーダンスのバランスが保たれる。この結果、多重通信用ジョイントコネクタを介して伝送される波形ひずみを改善することができる。
【００２１】
また、フェライト・プレート２３は、一列に並ぶ各コネクタ嵌合部２２の底面（図１に図示せず。）に対向するように分割されており、この状態でアウターハウジング２１に一体にインサート成形されている。なお、本発明は、フェライト・プレート２３がアウターハウジング２１にインサート成形される構成に限定されるものではなく、フェライト・プレート２３がアウターハウジング内に配置される構成であればよい。接続部２５の端子２７は、フェライト・プレート２３の貫通孔２４に挿通されてコネクタ嵌合部２２内に突出するようにそれぞれ配置されている。なお、フェライト・プレート２３を分割する形態は、上述のものに限るものではなく、要は、複数個に分割されさえしていれば後述する効果を奏する。
【００２２】
合成樹脂によって成形されたアウターハウジング２１は、成形後に樹脂収縮が生じるが、フェライト・プレート２３は、図２に示すように、複数に分割された状態でインサート成形されているので、アウターハウジング２１の樹脂収縮に起因して分割されたフェライト・プレート２３各々に作用する応力は小さく、フェライト・プレート２３の変形は抑制される。従って、逆磁歪現象によるフェライト・プレート２３の透磁率の低下が防止され、フェライト・プレート２３のローパスフィルタ機能が良好に維持されて、多重通信用ジョイントコネクタ１００を介して伝送される波形ひずみを改善することができる。
【００２３】
図４に、一枚のフェライト・プレートを備える従来の多重通信用ジョイントコネクタ１０（図６参照）と、複数に分割されたフェライト・プレートを備える本発明の多重通信用ジョイントコネクタ１００との特性を比較して示す。
【００２４】
図３に示すように、フェライト・プレートの設定された４箇所（点線で囲まれる１〜４の領域。該領域は、４個の貫通孔２４を含む。）の測定位置にインピーダンス測定器３０を接続し、アウターハウジング１、２１にインサート成形される前のフェライト・プレート３、２３のインピーダンスと、インサート成形後のフェライト・プレート３、２３（多重通信用ジョイントコネクタ１０、１００）のインピーダンスと、を測定し、インサート成形前後（インサート成形前のインピーダンスを１００％とする）におけるインピーダンスを求めた。
【００２５】
本発明の多重通信用ジョイントコネクタ１００による特性の改善率を示したものが図４である。図４では、従来の多重通信用ジョイントコネクタ（一枚のフェライト・プレート）によるインサート成形後のインピーダンスを「１」とした場合の、本発明の多重通信用ジョイントコネクタ（複数に分割されたフェライト・プレート）によるインサート成形後のインピーダンスの数値を「改善率」として表している。図４に示すように、いずれの測定点においても、インピーダンス特性が改善されていることがわかる。
【００２６】
したがって、本発明の多重通信用ジョイントコネクタによれば、フェライト・プレートが複数個に分割された状態でアウターハウジングに配置されるので、アウターハウジングの樹脂が収縮しても、各フェライト・プレートに作用する応力は小さく、フェライト・プレートの変形を大幅に抑制することができる。これによって、フェライト・プレートの変形に起因する特性劣化（透磁率低下）を小さくすることができ、ローパスフィルタ機能を良好に維持して、多重通信用ジョイントコネクタを介して伝送される波形ひずみを改善することができる。
【００２７】
また、複数に分割されたフェライト・プレートを用いることにより、ピン状の端子２７との公差が小さくて済むため、貫通孔２４の径を小さくすることができる。貫通孔２４の径が小さくなる結果、インピーダンス値が向上するため、所望のインピーダンス値を得るために必要なフェライトの厚みをより薄く設計することができる。これは、フェライトの小型化につながる。
【００２８】
（第２実施形態）
次に、本発明の第２実施形態に係る多重通信用ジョイントコネクタを図５に基づいて説明する。図５は第２実施形態の多重通信用ジョイントコネクタにインサート成形されるフェライト・プレートのインサート成形前後の変形状態を示す平面図である。なお、第２実施形態の多重通信用ジョイントコネクタは、フェライト・プレートの形状が異なる以外は、第１実施形態の多重通信用ジョイントコネクタと同様であるので、多重通信用ジョイントコネクタの構成については、図１を代用して説明する。
【００２９】
第２実施形態の多重通信用ジョイントコネクタ１００は、第１実施形態の多重通信用ジョイントコネクタと同様に、フェライト・プレート３３がアウターハウジング２１に一体にインサート成形され、接続部２５の端子２７が、フェライト・プレート３３の貫通孔２４に挿通されてコネクタ嵌合部２２にそれぞれ配置されている。
【００３０】
図５（ａ）に示すように、インサート成形前の第２実施形態のフェライト・プレート３３は、その長手方向に対して略直角方向に複数のスリット３４が設けられており、幅の狭い根元部３５で連結された略櫛形に形成されている。スリット３４によって隔てられるように区分けされたフェライト・プレート３３の一部を小フェライト部３３ａと称する。図に示す実施形態においては、７本のスリット３４によって隔てられるフェライト・プレート３３の各小フェライト部３３ａの大きさは、それぞれコネクタ嵌合部２２に対応している。なお、フェライト・プレート２３にスリットを形成する形態は、上述の形状に限るものではなく、要は、フェライト・プレート２３の外側面から内部に向けて切り込みが形成されさえしていれば、該切り込みによって分断されるフェライト・プレートが該切り込みによって根元部３５を基点とする変形が可能になるため、後述する効果を奏する。
【００３１】
図５（ｂ）に示すように、アウターハウジング２１にインサート成形された櫛形のフェライト・プレート３３は、成形後の樹脂収縮応力によって略扇型に変形する。このとき、フェライト・プレート３３は、図５（ｃ）に示すように、スリット３４の幅が開くように変形するので、フェライト・プレート３３の各小フェライト部３３ａに作用する応力は小さく、各小フェライト部３３ａの変形が抑制される。
【００３２】
アウターハウジング２１の樹脂収縮が大きい場合、フェライト・プレート３３には大きな応力が作用するが、この応力は根元部３５に集中応力として作用する。この結果、幅が狭く、従って機械的強度が弱い根元部３５付近で割れてフェライト・プレート３３が複数個に分割されることがあるが、この場合は、上述した第１実施形態にて説明した構成に相当する。このため、分割後の各フェライト・プレートに作用する応力が緩和されて、フェライト・プレートの変形による特性劣化（透磁率低下）を防止することができる。従って、ローパスフィルタ機能を良好に維持することができる。
【００３３】
従って、逆磁歪現象によるフェライト・プレート３３の透磁率の低下が防止され、フェライト・プレート３３のローパスフィルタ機能が良好に維持されて、多重通信用ジョイントコネクタ１００を介して伝送される波形ひずみを改善することができる。
【００３４】
（第３実施形態）
次に、本発明の第３実施形態に係る多重通信用ジョイントコネクタを図６〜図１１に基づいて説明する。図６は、本発明の第３実施形態に係る多重通信用ジョイントコネクタの分解斜視図である。図７は、本発明の第３実施形態に係る多重通信用ジョイントコネクタのアウターハウジングの横断面図である。図８は、本発明の第３実施形態に係る多重通信用ジョイントコネクタのインナーハウジングの斜視図である。図９は、図８におけるインナーハウジングに対するフェライト・プレートの装着状況を一部で縦断して示す斜視図である。図１０は、図８におけるインナーハウジングに対するフェライト・プレートの装着状況を別の一部で縦断して示す斜視図である。図１１は、本発明の第３実施形態に係る多重通信用ジョイントコネクタのインナーハウジングとアウターハウジングとの嵌合構造を示す横断平面図である。
【００３５】
フェライト・プレート２３は、衝撃に弱く、割れ易く、公差が大きい。このため、バネ形状の樹脂部材やゴム材などに挟み込んだり、樹脂モールドしたり、シリコン材で包んだりするなどして衝撃が緩和されるとともに、公差吸収が行われる。このように、フェライト・プレート２３を保持する構造として、フェライト・プレートの公差を吸収することができるものが望まれている。第３実施形態では、インナーハウジング４２内においてバネ部材である樹脂バネ４１を用いてフェライト・プレートの支持を行っている（図１０参照。）。なお、樹脂バネによるフェライト・プレートの支持構造の詳細は後述する。
【００３６】
図６に示すように、第３実施形態の多重通信用ジョイントコネクタ２００は、複数の相手方コネクタ（図示せず）とそれぞれ嵌合するための複数のコネクタ嵌合部２２（図６では８個）を有する合成樹脂製のアウターハウジング２１と、１対の貫通孔２４が設けられて略矩形板状に分割されたフェライト・プレート２３（図６では８個に分割されている。）と、コネクタ嵌合部２２内に突出し、且つ相手方コネクタがコネクタ嵌合部２２に嵌合した際に該相手方コネクタの相手方端子に接触して電気的に接続する１対の接続部２５と、接続部２５を保持するとともにフェライト・プレート２３を収容するインナーハウジング４２と、を備える。
【００３７】
接続部２５は、ピン状に形成された複数の端子２７（図６では各列につき８本）と、この複数の端子２７の一端に連設されるバスバー２６（図６では２本）とを有している。図６では、８本の端子２７が連設されたバスバー２６が２本、並設されている。左右方向に隣り合う一対の端子２７は、インナーハウジング４２がアウターハウジング２１に嵌合した際に、コネクタ嵌合部２２に相手方コネクタが嵌合する側とは逆側から前記コネクタ嵌合部２２内に突出するように、一つのコネクタ嵌合部２２内に配置される。各コネクタ嵌合部２２内に配置される一対の端子２７には、多重通信を実現する伝送方式に則った信号が伝送される。例えば、周波数分割多重化を伝送方式として採用した場合には、一対の端子２７それぞれには異なる周波数帯が割り当てられる。周波数分割多重化を採用した場合、隣り合うコネクタ嵌合部２２に配置された一対の端子２７には、一方の一対の端子２７を信号が伝播した際に生じる電磁波（ノイズ）によって、他方の一対の端子２７に電圧が誘起されるおそれがある。このノイズによる電圧の誘起を防止するために、フェライト・プレート２３によって、上記一方の一対の端子２７から上記他方の一対の端子２７への電磁波の伝播を遮断する。
【００３８】
多重通信用ジョイントコネクタがＣＡＮに利用される場合であって、一対の端子２７に差動信号が入力される伝送路では、一方の一対の端子２７に接続されるＨ側信号ラインと他方の一対の端子２７に接続されるＬ側信号ラインの間のインピーダンスのバランスを保つこと（Ｈ側信号ラインのインピーダンス特性≒Ｌ側信号ラインのインピーダンス特性）が必須である。このため、Ｈ側信号ラインとＬ側信号ラインの間に位置するフェライト・プレート２３が、Ｈ側信号ラインとＬ側信号ラインの間のインピーダンスのバランスを保つこともまた必須である。
【００３９】
例えば、一対の端子２７のそれぞれに、端子２７を内部に挿通させるフェライト材を別々に装着するように多重通信用ジョイントコネクタを構成した場合、各端子２７に装着された個々のフェライト材のインピーダンス特性にばらつきが生じる結果、Ｈ側信号ラインとＬ側信号ラインの間のインピーダンスのバランスが保たれないことが懸念される。Ｈ側信号ラインとＬ側信号ラインの間のインピーダンスのバランスが保たれていない場合、Ｈ側信号ラインとＬ側信号ラインに誘導される同相モード（コモンモード）のノイズ成分が、差動成分として働き、その結果、このような差動成分がｂｉｔエラーの要因となってしまう。
【００４０】
図６に示すフェライト・プレート２３の形状によれば、一対の端子２７の間にインピーダンス特性が均一のフェライト・プレート２３が位置するため、Ｈ側信号ラインとＬ側信号ラインの間のインピーダンスのバランスが保たれる。この結果、多重通信用ジョイントコネクタを介して伝送される波形ひずみを改善することができる。
【００４１】
アウターハウジング２１は、図７に示すように、中壁２１ａの両側に該中壁２１ａとは垂直な側壁２１ｂ、２１ｄ、および側壁２１ｃ、２１ｅが位置してしおり、中壁２１ａ、および側壁２１ｂ、２１ｃ、２１ｄ、２１ｅは、中壁２１ａが水平方向に見立てたときにＨ字形状となる。図７のアウタ−ハウジングの横断面図において、中壁２１ａと側壁２１ｂ、２１ｃとに囲まれた空間がインナーハウジング嵌合部２１ｇとなっている。インナーハウジング嵌合部２１ｇは、開口２１ｆを有しており、この開口２１ｆを通してインナーハウジング４２を嵌合する。一方、中壁２１ａと側壁２１ｄ、２１ｅとに囲まれた空間がコネクタ嵌合部２２となっている。コネクタ嵌合部２２は、開口２１ｈを有しており、この開口２１ｈを通して相手方コネクタが挿入される。
【００４２】
さらに、中壁２１ａには、フェライト・プレート２３の各貫通孔２４に対向する位置に端子挿入孔３７が穿設されている。端子挿入孔３７は、インナーハウジング嵌合部２１ｇにインナーハウジング４２が嵌めこまれた際に、フェライト・プレート２３の貫通孔２４を貫通する端子２７によって貫通される。これにより、端子２７の一部は、インナーハウジング４２がアウターハウジング２１に嵌合した際に、インナーハウジング嵌合部２１ｇ側から端子挿入孔３７を貫通し、コネクタ嵌合部２２内に配置されることになる。
【００４３】
インナーハウジング４２は、図８に示すように、一面が開口し、この開口４２ｄを通してフェライト・プレート２３を収容するプレート収容室４２ｅが形成されている。プレート収容室４２ｅは、底壁４２ａ、側壁４２ｂ、４２ｃによって囲まれている。側壁のうちの一方の側壁４２ｂには、収容されたフェライト・プレート２３に臨むその内側面に、複数個の樹脂バネ４１が形成されている。樹脂バネ４１は、プレート収容室４２ｅに収容されたフェライト・プレート２３の側面を、該樹脂バネ４１が形成された側壁４２ｂとは反対側の側壁４２ｃの方向に向けて、押圧する。これらの樹脂バネ４１は、同形、同サイズで、インナーハウジング４２の長手方向に８個が等間隔配置されている。この樹脂バネ４１により、複数個に分割された状態の８個のフェライト・プレート２３はそれぞれ、一つの側面が図１０に示すように樹脂バネ４１に押圧され、もう一方の側面がプレート収容室４２ｅの前記樹脂バネ４１が設けられる側に対向する側壁４２ｃの内側面に押し当てられるようにして保持される。なお、バネ部材としての樹脂バネ４１は、プレート収容室４２ｅの内側面のうちの一面において、その一部を切り起こすなどして形成される。
【００４４】
次に、図９および図１０を参照して、インナーハウジング４２に対するフェライト・プレート２３の装着工程を説明する。図９は、図８のインナーハウジング４２に装着された８対１６本の端子２７に８個のフェライト・プレート２３の各貫通孔２４を挿し通す直前の状態である。なお、この状態の前に、接続部２５をプレート収容室４２ｅの底壁４２ａに装着しておく必要がある（より詳細には、プレート収容室４２ｅの底壁４２ａを穿つように該底壁４２ａに形成された端子保持部４３に、端子２７の一端が連設されたバスバー２６を挿入、固定させておく。）。この結果、各端子２７は、プレート収容室４２ｅの底壁４２ａから開口４２ｄに向けて真直ぐに延びるように突設されている。フェライト・プレート２３は、このような端子２７の尖端から貫通孔２４が挿通され、開口４２ｄを通過し、厚み方向の一面（図上、フェライト・プレート２３の下面）が底壁４２ａに当接する状態で、プレート収容室４２ｅに収容される。
【００４５】
フェライト・プレート２３は、プレート収容室４２ｅに収容された状態において、その幅方向の片面が側壁４２ｂの内側に突出する各一の樹脂バネ４１に前述のように押圧され、一方、幅方向の他の片面は側壁４２ｃの内面に押し当てられるようにしてプレート収容室４２ｅに保持される。
【００４６】
フェライト・プレート２３が上述のようにしてプレート収容室４２ｅに保持されたインナーハウジング４２が、図７に示すアウターハウジング２１のインナーハウジング嵌合部２１ｇに嵌合される。インナーハウジング４２がアウターハウジング２１のインナーハウジング嵌合部２１ｇに嵌合した状態を図１１に示す。インナーハウジング４２は、プレート収容室４２ｅの開口４２ｄから露出するフェライト・プレート２３の一面がアウターハウジング２１の中壁２１ａの内面Ｑに対向するように、インナーハウジング嵌合部２１ｇに収容される。
【００４７】
このように、第３実施形態では、インナーハウジング４２内においてバネ部材である樹脂バネ４１を用いてフェライト・プレートを支持することによって、フェライト・プレートの公差を吸収することができる。この結果、多重通信用ジョイントコネクタ２００が振動を受けるなどして、ガタツキなく、異音の発生を未然に防止できる。
【００４８】
（第４実施形態）
次に、本発明の第４実施形態に係る多重通信用ジョイントコネクタを図１２〜図２２に基づいて説明する。図１２は、本発明の第４実施形態に係る多重通信用ジョイントコネクタの分解斜視図である。図１３は、本発明の第４実施形態に係る多重通信用ジョイントコネクタのアウタ−ハウジングの横断面図である。図１４は、本発明の第４実施形態に係る多重通信用ジョイントコネクタのフェライト・プレートの平面図である。図１５は、本発明の第４実施形態に係る多重通信用ジョイントコネクタのインナーハウジングの斜視図である。図１６は、図１５におけるインナーハウジングに対するフェライト・プレートの装着状況を一部で縦断して示す斜視図である。図１７は、図１５におけるインナーハウジングに対するフェライト・プレートの装着状況を別の一部で縦断して示す斜視図である。図１８は、フェライト・プレートに働く外力とフェライト・プレートの特性値の関係を示す特性図である。図１９は、本発明の第４実施形態に係る多重通信用ジョイントコネクタのインナーハウジングとアウターハウジングとの嵌合構造を示す横断平面図である。図２０は、フェライト・プレートの厚みとフェライト・プレートの特性値の関係を説明する説明図である。図２１は、本発明の第４実施形態に係る多重通信用ジョイントコネクタのインナーハウジングとアウターハウジングとの嵌合構造を示す横断平面図であり、（ａ）が２．９ｍｍのフェライト・プレートが保持されているもの、（ｂ）が３．１ｍｍのフェライト・プレートが保持されているものである。図２２は、支持突起の先端の押し潰し長さに対するフェライト性能の低下量を示す特性図である。
【００４９】
フェライト・プレート２３は、衝撃に弱く、割れ易く、公差が大きい。このため、バネ形状の樹脂部材やゴム材などに挟み込んだり、樹脂モールドしたり、シリコン材で包んだりするなどして衝撃が緩和されるとともに、公差吸収が行われる。また、フェライト・プレート２３であるフェライトコアは曲げなどの外部応力を受けると、ビラリ効果による逆磁現象によって誘磁率が低下する。この誘磁率の低下はローパスフィルタとしてのインピーダンス特性の劣化を招き、高周波信号の波形歪を招く。従って、フェライト・プレート２３を保持する構造として、フェライト・プレートの公差を吸収することができ、且つフェライト・プレートに作用する外部応力をできるだけ抑制することができるものが望まれている。第４実施形態では、第３実施形態と同様、インナーハウジング４２内においてバネ部材である樹脂バネ４１を用いてフェライト・プレートの支持を行っている（図１７参照。）。なお、樹脂バネによるフェライト・プレートの支持構造の詳細は後述する。
【００５０】
ところで、上述した樹脂バネ４１は、複数に分割された状態の各フェライト・プレート毎に、フェライト・プレート２３の側面を押圧することによりインナーハウジング４２にフェライト・プレート２３を固定しているが、樹脂バネ４１の反力は、フェライト・プレート２３の公差と特性（インピーダンス特性）の低下量を考慮して設定される必要がある。
【００５１】
具体的には、フェライト・プレート２３の特性の低下量の許容値を、例えば２Ω以下にするためには、樹脂バネ４１がフェライト・プレート２３を押圧する反力が２０Ｎ（ニュートン）以下となるように設計する必要がある。一方で、公差が最大となるフェライト・プレート２３を樹脂バネ４１が２０Ｎで押圧するように設計すると、公差が最小となるフェライト・プレート２３をその樹脂バネ４１は３Ｎ程度の反力でしか押圧することができない。このような設計は、フェライト・プレート２３の特性の低下量を２Ω以下にすることができるものの、寸法の小さいフェライト・プレート２３を充分に保持することできない。このため、振動時にフェライト・プレートがガタツキ、異音を発生することになる。特に、インナーハウジング４２が高温の環境におかれることになると、樹脂バネ自体が熱的ストレスを受けて軟化することで樹脂バネがフェライト・プレート２３を充分に保持することができなくなるため、ガタツキ、異音が顕著になる。
【００５２】
他方、公差が最小となるフェライト・プレート２３を樹脂バネ４１が２０Ｎで押圧するように設計すると、公差が最大となるフェライト・プレート２３をその樹脂バネ４１は２０Ｎより大きい反力で押圧することになるため、フェライト・プレートの特性の低下量が２Ωを越えてしまう。
【００５３】
従って、樹脂バネ４１を用いてフェライト・プレート２３を固定または保持させる場合において、フェライトの特性を低下させることなく、このフェライト・プレートをガタツキなく安定して支持する必要がある。このような事情を鑑み、第４実施形態では、本発明の多重通信用ジョイントコネクタの構造を図１２乃至図２２を参照してさらに詳しく説明する。
【００５４】
図１２に示すように、第４実施形態の多重通信用ジョイントコネクタ２００は、第３実施形態の多重通信用ジョイントコネクタ２００と同様、複数の相手方コネクタ（図示せず）とそれぞれ嵌合するための複数のコネクタ嵌合部２２（図１２では８個）を有する合成樹脂製のアウターハウジング２１と、１対の貫通孔２４が設けられて略矩形板状に分割されたフェライト・プレート２３（図１２では８個に分割されている。）と、コネクタ嵌合部２２内に突出し、且つ相手方コネクタがコネクタ嵌合部２２に嵌合した際に該相手方コネクタの相手方端子に接触して電気的に接続する１対の接続部２５と、接続部２５を保持するとともにフェライト・プレート２３を収容するインナーハウジング４２と、を備える。
【００５５】
接続部２５は、ピン状に形成された複数の端子２７（図１２では各列につき８本）と、この複数の端子２７の一端に連設されるバスバー２６（図１２では２本）とを有している。図１２では、８本の端子２７が連設されたバスバー２６が２本、並設されている。左右方向に隣り合う一対の端子２７は、インナーハウジング４２がアウターハウジング２１に嵌合した際に、コネクタ嵌合部２２に相手方コネクタが嵌合する側とは逆側から前記コネクタ嵌合部２２内に突出するように、一つのコネクタ嵌合部２２内に配置される。各コネクタ嵌合部２２内に配置される一対の端子２７には、多重通信を実現する伝送方式に則った信号が伝送される。例えば、周波数分割多重化を伝送方式として採用した場合には、一対の端子２７それぞれには異なる周波数帯が割り当てられる。周波数分割多重化を採用した場合、隣り合うコネクタ嵌合部２２に配置された一対の端子２７には、一方の一対の端子２７を信号が伝播した際に生じる電磁波（ノイズ）によって、他方の一対の端子２７に電圧が誘起される恐れがある。このノイズによる電圧の誘起を防止するために、フェライト・プレート２３によって、上記一方の一対の端子２７から上記他方の一対の端子２７への電磁波の伝播を遮断する。
【００５６】
多重通信用ジョイントコネクタがＣＡＮに利用される場合であって、一対の端子２７に差動信号が入力される伝送路では、一方の一対の端子２７に接続されるＨ側信号ラインと他方の一対の端子２７に接続されるＬ側信号ラインの間のインピーダンスのバランスを保つこと（Ｈ側信号ラインのインピーダンス特性≒Ｌ側信号ラインのインピーダンス特性）が必須である。このため、Ｈ側信号ラインとＬ側信号ラインの間に位置するフェライト・プレート２３が、Ｈ側信号ラインとＬ側信号ラインの間のインピーダンスのバランスを保つこともまた必須である。
【００５７】
例えば、一対の端子２７のそれぞれに、端子２７を内部に挿通させるフェライト材を別々に装着するように多重通信用ジョイントコネクタを構成した場合、各端子２７に装着された個々のフェライト材のインピーダンス特性にばらつきが生じる結果、Ｈ側信号ラインとＬ側信号ラインの間のインピーダンスのバランスが保たれないことが懸念される。Ｈ側信号ラインとＬ側信号ラインの間のインピーダンスのバランスが保たれていない場合、Ｈ側信号ラインとＬ側信号ラインに誘導される同相モード（コモンモード）のノイズ成分が、差動成分として働き、その結果、このような差動成分がｂｉｔエラーの要因となってしまう。
【００５８】
図１２に示すフェライト・プレート２３の形状によれば、一対の端子２７の間にインピーダンス特性が均一のフェライト・プレート２３が位置するため、Ｈ側信号ラインとＬ側信号ラインの間のインピーダンスのバランスが保たれる。この結果、多重通信用ジョイントコネクタを介して伝送される波形ひずみを改善することができる。
【００５９】
アウターハウジング２１は、図１３に示すように、中壁２１ａの両側に該中壁２１ａとは垂直な側壁２１ｂ、２１ｄ、および側壁２１ｃ、２１ｅが位置してしおり、中壁２１ａ、および側壁２１ｂ、２１ｃ、２１ｄ、２１ｅは、中壁２１ａが水平方向に見立てたときにＨ字形状となる。図１３のアウタ−ハウジングの横断面図において、中壁２１ａと側壁２１ｂ、２１ｃとに囲まれた空間がインナーハウジング嵌合部２１ｇとなっている。インナーハウジング嵌合部２１ｇは、開口２１ｆを有しており、この開口２１ｆを通してインナーハウジング４２を嵌合する。一方、中壁２１ａと側壁２１ｄ、２１ｅとに囲まれた空間がコネクタ嵌合部２２となっている。コネクタ嵌合部２２は、開口２１ｈを有しており、この開口２１ｈを通して相手方コネクタが挿入される。
【００６０】
また、インナーハウジング嵌合部２１ｇに嵌めこまれたインナーハウジング４２に臨むアウターハウジング２１の中壁２１ａの内面（より詳細には、図１９に示すように、インナーハウジング４２に装着されたフェライト・プレート２３の一面に臨む面）Ｑには、フェライト・プレート２３に向けて突出する尖端形状（例えば円錐形状や角錐形状）の支持突起３６が設けられている。この支持突起３６は、インナーハウジング嵌合部２１ｇにインナーハウジング４２が嵌めこまれた際に、フェライト・プレート２３を支持するために、インナーハウジング４２に装着されたフェライト・プレート２３に対向する箇所に形成されており、各フェライト・プレート２３に二つの支持突起３６が割り当てられている。各フェライト・プレート２３に割り当てられる二つの支持突起３６は、図１４に示すフェライト・プレート２３の二箇所の位置Ｐに臨むように内面Ｑ上に配置されている。これらの位置Ｐは、フェライト・プレート２３の片面における対角線上の２つのコーナ部付近である。これらの位置Ｐは、フェライト・プレートの貫通孔２４から離れた位置であり、仮に二つの支持突起３６がフェライト・プレート２３を押圧したとしても、該フェライト・プレート２３の特性を低下させ難い部位である。
【００６１】
さらに、中壁２１ａには、フェライト・プレート２３の各貫通孔２４に対向する位置に端子挿入孔３７が穿設されている。端子挿入孔３７は、インナーハウジング嵌合部２１ｇにインナーハウジング４２が嵌めこまれた際に、フェライト・プレート２３の貫通孔２４を貫通する端子２７によって貫通される。これにより、端子２７の一部は、インナーハウジング４２がアウターハウジング２１に嵌合した際に、インナーハウジング嵌合部２１ｇ側から端子挿入孔３７を貫通し、コネクタ嵌合部２２内に配置されることになる。
【００６２】
インナーハウジング４２は、第３実施形態で図８を参照して説明したインナーハウジング４２と同様、図１５に示すように、一面が開口し、この開口４２ｄを通してフェライト・プレート２３を収容するプレート収容室４２ｅが形成されている。プレート収容室４２ｅは、底壁４２ａ、側壁４２ｂ、４２ｃによって囲まれている。側壁のうちの一方の側壁４２ｂには、収容されたフェライト・プレート２３に臨むその内側面に、複数個の樹脂バネ４１が形成されている。樹脂バネ４１は、プレート収容室４２ｅに収容されたフェライト・プレート２３の側面を、該樹脂バネ４１が形成された側壁４２ｂとは反対側の側壁４２ｃの方向に向けて、押圧する。これらの樹脂バネ４１は、同形、同サイズで、インナーハウジング４２の長手方向に８個が等間隔配置されている。この樹脂バネ４１により、８個のフェライト・プレート２３はそれぞれ、一つの側面が図１７に示すように樹脂バネ４１に押圧され、もう一方の側面がプレート収容室４２ｅの前記樹脂バネ４１が設けられる側に対向する側壁４２ｃの内側面に押し当てられるようにして保持される。なお、バネ部材としての樹脂バネ４１は、プレート収容室４２ｅの内側面のうちの一面において、その一部を切り起こすなどして形成される。
【００６３】
次に、図１６および図１７を参照して、インナーハウジング４２に対するフェライト・プレート２３の装着工程を説明する。図１６は、図１５のインナーハウジング４２に装着された８対１６本の端子２７に８個のフェライト・プレート２３の各貫通孔２４を挿し通す直前の状態である。なお、この状態の前に、接続部２５をプレート収容室４２ｅの底壁４２ａに装着しておく必要がある（より詳細には、プレート収容室４２ｅの底壁４２ａを穿つように該底壁４２ａに形成された端子保持部４３に、端子２７の一端が連設されたバスバー２６を挿入、固定させておく。）。この結果、各端子２７は、プレート収容室４２ｅの底壁４２ａから開口４２ｄに向けて真直ぐに延びるように突設されている。フェライト・プレート２３は、このような端子２７の尖端から貫通孔２４が挿通され、開口４２ｄを通過し、厚み方向の一面（図上、フェライト・プレート２３の下面）が底壁４２ａに当接する状態で、プレート収容室４２ｅに収容される。
【００６４】
フェライト・プレート２３は、プレート収容室４２ｅに収容された状態において、その幅方向の片面が側壁４２ｂの内側に突出する各一の樹脂バネ４１に前述のように押圧され、一方、幅方向の他の片面は側壁４２ｃの内面に押し当てられるようにしてプレート収容室４２ｅに保持される。このように樹脂バネ４１によって押圧されるフェライト・プレート２３は、樹脂バネ４１からの外力によって変形し、フェライト特性の低下を余儀なくされる。
【００６５】
図１８に示すように、本実施形態のフェライト・プレート２３は、外力が加わらないとき（０Ｎのとき）に特性値が３７Ω（周波数５ＭＨｚ時）以上となる厚みのもの（厚みが２．９ｍｍ以上のもの。特性値は厚みに比例して増加する。）を用いている。また、本実施形態の樹脂バネ４１は、幅方向の公差が最大となるフェライト・プレート２３を２０Ｎで押圧するものである（つまり、樹脂バネ４１の反力は２０Ｎを越えることはない。）。この構成では、フェライト・プレート２３の特性値は、樹脂バネ４１による押圧によって最大で２Ω低下することになるが（図１８の２０Ｎのときを参照。）、この樹脂バネ４１によってフェライト・プレート２３の幅方向に作用する外力によってフェライト・プレート２３が変形した場合であっても、フェライト・プレート２３の特性値は３５Ω以上となる。本実施形態は、プレート収容室４２ｅに収容されたフェライト・プレート２３を樹脂バネ４１によって支持する構成に加え、アウターハウジング２１のインナーハウジング嵌合部２１ｇにインナーハウジング４２を嵌合した際にフェライト・プレート２３を支持突起３６によっても支持する構成であるが、本発明のフェライト・プレート２３に要求される特性値である３５Ωを支持突起３６による押圧によって下回らないようにしている。以下、支持突起３６とフェライト・プレート２３に加わる外力の関係を中心に説明する。
【００６６】
前述のように、インナーハウジング２１には、樹脂バネ４１によって幅方向に反力が加えられたフェライト・プレート２３がプレート収容室４２ｅに設けられている。さらに、両ハウジング２１、４２の連結時にフェライト・プレート２３はアウターハウジング２１内の支持突起３６に２点で支持される。この支持突起３６による支持によって、フェライト・プレート２３は厚み方向のストレスをできるだけ受けないように、つまり、インピーダンス特性が３５Ωを下回らないように支持されることが要求される。
【００６７】
ところで、外力を加えていない状態のフェライト・プレート２３の特性値が３７Ωを越える必要があることを考慮すると、フェライト・プレート２３の厚みは２．９ｍｍ以上である必要がある。また、フェライト・プレート２３の厚みの公差が０．１ｍｍであることを考慮すると、フェライト・プレート２３の厚みの寸法は３．０±０．１ｍｍ（ただし、公差０．１ｍｍ）である必要がある。すなわち、厚み方向の公差が最小となるフェライト・プレート２３の厚みは２．９ｍｍ、厚み方向の公差が最大となるフェライト・プレート２３の厚みは３．１ｍｍである。図２０に示すように、厚みの寸法が２．９ｍｍ、３．０ｍｍ、３．１ｍｍのフェライト・プレート２３それぞれに幅方向に２０Ｎの外力を加えたとき、各フェライト・プレート２３の特性値は順に、３５Ω、３６．３Ω、３７．５Ωとなり、厚みの寸法の増加に比例してその特性値が増加する。
【００６８】
そこで、厚み方向の公差が最小となるフェライト・プレート２３（２．９ｍｍの厚さのもの）をインナーハウジング４２のプレート収容室４２ｅと支持突起３６とによって挟持する場合には、支持突起３６は、その特性値が３５Ωを下回らないようにするために、図２１（ａ）に示すように、支持突起３６の先端がフェライト・プレート２３にわずかに触れる程度の状態で、フェライト・プレート２３を支持する必要がある。つまり、支持突起３６の突出方向の高さは、インナーハウジング４２をインナーハウジング嵌合部２１ｇに嵌合した際、プレート収容室４２ｅに収容された、厚み方向の寸法公差が最小であるフェライト・プレート２３に、与圧ゼロで接触する（ゼロタッチする）高さである必要がある。これにより、厚みの寸法が最小となるフェライト・プレート２３を、支持突起３６によって厚み方向の外部応力を受けることなく、プレート収容室４２ｅ内に安定保持することができる。なお、インナーハウジング４２をインナーハウジング嵌合部２１ｇに嵌合する際、インナーハウジング４２の側壁４２ｂ、４２ｃの端部がアウターハウジング２１の中壁２１ａの内面Ｑに当接することによって、プレート収容室４２ｅに収容されたフェライト・プレート２３が支持突起３６によって過剰に押圧されることを防いでいる。
【００６９】
上述では、フェライト・プレート２３の特性値が３５Ωを下回らないようにするための構造を、支持突起３６の突出方向の高さに着目して説明したが、次のようにその構造を説明することもできる。すなわち、インナーハウジング４２をインナーハウジング嵌合部２１ｇに嵌合した際の、該インナーハウジング嵌合部２１ｇの支持突起３６が形成された内面Ｑと、プレート収容室４２ｅを画成する内面のうちの開口４２ｄに対向する一面Ｒ（底壁４２ａ）との距離は、支持突起の突出方向の高さと、厚み方向の寸法公差が最小であるフェライト・プレート２３の厚みの和に等しい構造である。これにより、実用寸法として許容された厚みが最大寸法のフェライト・プレート２３を、各一面Ｑ、Ｒ間の距離内に収まるように支持突起３６の一部が潰されることで、フェライト特性の劣化を招来することなく安定支持することができる。
【００７０】
一方、厚み方向の公差が最大となるフェライト・プレート２３（３．１ｍｍの厚さのもの）をプレート収容室４２ｅに収容した場合には、インナーハウジング４２をインナーハウジング嵌合部２１ｇに嵌合した際、図２１（ｂ）に示すように、支持突起３６の先端によってフェライト・プレート２３が押圧される一方、支持突起３６の先端から０．２ｍｍまでの箇所が押し潰され、支持突起３６が尖端ではなくなる。この場合には、支持突起３６による押圧によってフェライト・プレート２３は変形し、その特性値が減少してしまう。しかし、このように支持突起３６によって押圧された場合であっても、フェライト・プレート２３の特性値が３５Ωを下回ることはない。この点を続いて説明する。
【００７１】
図２２は、支持突起３６の先端の押し潰し長さに対するフェライト性能の低下量を示す特性図である。この特性図に示すように、支持突起３６の先端の押し潰し長さが０．２ｍｍ以下である場合、フェライト・プレートの特性値の低下量は２Ω以下であるところから、結果的にフェライト特性として許容できる最小値の３５Ω以下になることはない。
【００７２】
このように、第４実施形態では、公差が生じえるフェライト・プレート２３の最低限の特性値を確保しながら、フェライト・プレート２３を確実に押さえ付ける（保持させる）ことができる。この結果、多重通信用ジョイントコネクタ２００が振動を受けるなどして、ガタツキなく、異音の発生を未然に防止できる。
【００７３】
なお、本発明は、前述した各実施形態に限定されるものではなく、適宜、変形、改良、等が可能である。
【符号の説明】
【００７４】
２１  アウターハウジング
２１ａ  中壁
２１ｂ、２１ｃ、２１ｄ、２１ｅ  側壁
２１ｆ  開口
２１ｇ  インナーハウジング嵌合部
２１ｈ  開口
２２  コネクタ嵌合部
２３  フェライト・プレート
２４  貫通孔
２５  接続部
２６  バスバー
２７  端子
３３  フェライト・プレート
３３ａ  小フェライト部
３４  スリット
３５  根元部
３６  支持突起（突起部）
４１  樹脂バネ（バネ部材）
４２  インナーハウジング
４２ａ  底壁
４２ｂ、４２ｃ  側壁
４２ｄ  開口
４２ｅ  プレート収容室
Ｑ  中壁の内面
Ｒ  底壁４２ａ一面
１００、２００  多重通信用ジョイントコネクタ
【図１】
2010170985.tif 000003
【図２】
2010170985.tif 000004
【図３】
2010170985.tif 000005
【図４】
2010170985.tif 000006
【図５】
2010170985.tif 000007
【図６】
2010170985.tif 000008
【図７】
2010170985.tif 000009
【図８】
2010170985.tif 000010
【図９】
2010170985.tif 000011
【図１０】
2010170985.tif 000012
【図１１】
2010170985.tif 000013
【図１２】
2010170985.tif 000014
【図１３】
2010170985.tif 000015
【図１４】
2010170985.tif 000016
【図１５】
2010170985.tif 000017
【図１６】
2010170985.tif 000018
【図１７】
2010170985.tif 000019
【図１８】
2010170985.tif 000020
【図１９】
2010170985.tif 000021
【図２０】
2010170985.tif 000022
【図２１】
2010170985.tif 000023
【図２２】
2010170985.tif 000024
【図２３】
2010170985.tif 000025
【図２４】
2010170985.tif 000026